(57)【要約】【課題】照明部に対する照明性を向上する。【解決手段】操作装置１０では、インジケータ部材１８には、平面視で、パネル部材１２の周方向に延在された曲線状の照明部１８Ａが形成されている。照明部１８Ａの下側には、照明部１８Ａの長手方向に沿って配置された複数のインジケータ用光源６２が設けられている。また、インジケータ部材１８の照明部１８Ａとインジケータ用光源６２と間には、複数の導光部３８が設けられている。ここで、複数の導光部３８は、各インジケータ用光源６２と対を成して配置されると共に、照明部１８Ａの長手方向（すなわち、ケース２２の周方向）に沿って互いに隣接して配置されている。これにより、照明部１８Ａを良好に照明させることができる。【選択図】図８
2020095843.tif 000002
【特許請求の範囲】
【請求項１】
線状に延在された照明部を有するインジケータ部材と、
前記インジケータ部材の裏側に離間して設けられ、前記照明部の長手方向に沿って配置されると共に、発光された光を前記照明部側へ照射する複数の光源と、
前記インジケータ部材と前記光源との間に設けられたケースと、
前記ケースに組付けられ、前記光源において発光された光を前記照明部へ導く複数の導光部と、
を備え、
複数の前記導光部が、複数の前記光源と対を成して配置されると共に、前記照明部の長手方向に沿って互いに隣接して配置されていることを特徴とする照明構造。
【請求項２】
複数の前記導光部は、複数の郡に分けられており、
各郡を構成する複数の前記導光部が、前記照明部の長手方向に沿って所定間隔毎に配置されると共に、連結部によって連結されていることを特徴とする請求項１に記載の照明構造。
【請求項３】
前記照明部が、曲線状に延在されており、
前記連結部を前記照明部に沿って屈曲させた状態で、前記導光部が前記ケースに組付けられていることを特徴とする請求項２に記載の照明構造。
【請求項４】
互いに隣接する前記導光部の側面が、前記照明部の長手方向において対向して配置されていることを特徴とする請求項１〜請求項３の何れか１項に記載の照明構造。
【請求項５】
前記ケースには、複数の前記光源の間を遮蔽すると共に、前記導光部を支持する支持壁が形成されていることを特徴とする請求項１〜請求項４の何れか１項に記載の照明構造。
【請求項６】
前記ケースを収容するパネル部材を備え、
前記インジケータ部材が前記パネル部材に固定されていることを特徴とする請求項１〜請求項５の何れか１項に記載の照明構造。
【発明の詳細な説明】
【技術分野】
【０００１】
本発明は、照明構造に関する。
【背景技術】
【０００２】
下記特許文献１には、操作装置の照明構造が記載されている。この照明構造について簡単に説明すると、操作装置の操作ノブには、操作ノブの周方向に延在された照明部が形成されている。照明部の裏面側には、インジケータレンズが設けられており、インジケータレンズの照明部とは反対側にインジケータ用光源が設けられている。そして、インジケータ用光源が点灯することで、インジケータレンズを透過した光が、照明部を照射して、照明部が照明されるようになっている。
【０００３】
ところで、上述のような、操作ノブの周方向に延在された照明部を照明させるときに、複数の光源によって照明部を照射する場合がある。この場合には、複数の光源の何れかを点灯または消灯させることで、照明部における照明された部位の長さを可変することができる。すなわち、点灯する光源が増加するにつれて、照明部における照明された部位の長さが長くなる。
【先行技術文献】
【特許文献】
【０００４】
【特許文献１】特開２００２−１９７９４６号公報
【発明の概要】
【発明が解決しようとする課題】
【０００５】
しかしながら、上記のような複数の光源によって照明部を照射する場合には、インジケータレンズを透過した光が拡散して、他の光源によって照射するエリアも照射する可能性がある。この場合には、照明部において、照明された部位の輪郭がぼけて視認され、照明部に対する照明性が低下するという問題がある。
【０００６】
本発明は、上記事実を考慮して、照明部に対する照明性を向上することができる照明構造を提供する。
【課題を解決するための手段】
【０００７】
本発明の１又はそれ以上の実施形態は、線状に延在された照明部を有するインジケータ部材と、前記インジケータ部材の裏側に離間して設けられ、前記照明部の長手方向に沿って配置されると共に、発光された光を前記照明部側へ照射する複数の光源と、前記インジケータ部材と前記光源との間に設けられたケースと、前記ケースに組付けられ、前記光源において発光された光を前記照明部へ導く複数の導光部と、を備え、複数の前記導光部が、複数の前記光源と対を成して配置されると共に、前記照明部の長手方向に沿って互いに隣接して配置されていることを特徴とする照明構造である。
【０００８】
本発明の１又はそれ以上の実施形態は、複数の前記導光部は、複数の郡に分けられており、各郡を構成する複数の前記導光部が、前記照明部の長手方向に沿って所定間隔毎に配置されると共に、連結部によって連結されていることを特徴とする照明構造である。
【０００９】
本発明の１又はそれ以上の実施形態は、前記照明部が、曲線状に延在されており、前記連結部を前記照明部に沿って屈曲させた状態で、前記導光部が前記ケースに組付けられていることを特徴とする照明構造である。
【００１０】
本発明の１又はそれ以上の実施形態は、互いに隣接する前記導光部の側面が、前記照明部の長手方向において対向して配置されていることを特徴とする照明構造である。
【００１１】
本発明の１又はそれ以上の実施形態は、前記ケースには、複数の前記光源の間を遮蔽すると共に、前記導光部を支持する支持壁が形成されていることを特徴とする照明構造である。
【００１２】
本発明の１又はそれ以上の実施形態は、前記ケースを収容するパネル部材を備え、前記インジケータ部材が前記パネル部材に固定されていることを特徴とする照明構造である。
【発明の効果】
【００１３】
本発明の１又はそれ以上の実施形態によれば、照明部に対する照明性を向上することができる。
【図面の簡単な説明】
【００１４】
【図１】本実施の形態に係る照明構造が適用された操作装置を示す平面図である。
【図２】図１に示される操作装置の縦断面図（図１の２−２線断面図）である。
【図３】図１に示される操作装置の縦断面図（図１の３−３線断面図）である。
【図４】図１に示される操作装置の分解斜視図である。
【図５】図４に示されるケースの平面図である。
【図６】（Ａ）は、図４に示される第１レンズのケースへの組付前の状態を示す斜視図であり、（Ｂ）は、図４に示される第２レンズのケースへの組付前の状態を示す斜視図である。
【図７】（Ａ）は、図６（Ａ）に示される第１レンズを湾曲させた状態で示す平面図であり、（Ｂ）は、図６（Ｂ）に示される第２レンズを湾曲させた状態で示す平面図である。
【図８】（Ａ）は、本実施の形態に係る照明構造における光の導光部の透過状態を説明するための説明図であり、（Ｂ）は、比較例の照明構造における光の導光部の透過状態を説明するための説明図である。
【発明を実施するための形態】
【００１５】
以下、図面を用いて、本実施の形態に係る照明構造Ｓが適用された操作装置１０について説明する。この操作装置１０は、例えば、図示しない各種工作機械に組付けられて、当該工作機械の操作部として構成されている。
【００１６】
図１〜図４に示されるように、操作装置１０は、全体として、略段付き円柱状に形成されている。そして、以下の説明では、操作装置１０の軸方向一方側（図２〜図４の矢印Ａ方向側）を操作装置１０の上側とし、操作装置１０の軸方向他方側（図２〜図４の矢印Ｂ方向側）を操作装置１０の下側としている。そして、以下の説明において、上下の方向を用いて説明するときには、特に断りのない限り、操作装置１０の上下方向を示すものとする。
【００１７】
操作装置１０は、操作装置１０の下部を構成するパネル部材１２と、パネル部材１２の内部に収容されたケースユニット２０及び回路基板６０と、操作装置１０の上端側の部分を構成するダイヤルユニット４０と、を含んで構成されている。また、ダイヤルユニット４０の上部が、パネル部材１２よりも上側へ突出されて、工作機械の外側へ操作可能に露出されている。そして、操作装置１０では、ダイヤルユニット４０を操作装置１０の軸線ＡＬ回りに回転させる回転操作と、ダイヤルユニット４０を下側へ押圧させる押圧操作と、の２つの操作が可能に構成されている。以下、操作装置１０の各構成について説明する。
【００１８】
（パネル部材１２について）
パネル部材１２は、下側へ開放された略有底円筒状に形成されている。パネル部材１２の外周部には、複数（本実施の形態では、３箇所）のリテーナ１４が固定されており、リテーナ１４は、パネル部材１２の周方向に等間隔毎の配置されている。そして、パネル部材１２が、リテーナ１４によって工作機械に組付けられて、操作装置１０が工作機械に固定されている。
【００１９】
パネル部材１２の上壁には、中心部において、上側へ開放された支持凹部１２Ａが形成されており、支持凹部１２Ａは、略有底円筒状に形成され、パネル部材１２の上壁から下側へ突出されている。また、支持凹部１２Ａの底壁には、支持孔部１２Ｂが貫通形成されている。さらに、パネル部材１２の上壁には、支持凹部１２Ａの径方向外側において、照明用孔部１２Ｃが貫通形成されており、照明用孔部１２Ｃは、パネル部材１２の周方向を長手方向とする長孔状形成されている。詳しくは、照明用孔部１２Ｃは、上側から見た平面視で、パネル部材１２の径方向外側へ開放されたＣ字形状（円弧状）に湾曲している。また、パネル部材１２の上壁には、複数（本実施の形態では、３箇所）のパネル側固定ボス１２Ｄ（図３参照）が形成されている（図３では、１箇所のパネル側固定ボス１２Ｄのみ図示している）。パネル側固定ボス１２Ｄは、上下方向を軸方向とした略円筒状に形成されて、パネル部材１２の上壁から下側へ突出されると共に、パネル部材１２の周方向に等間隔毎の配置されている。
【００２０】
パネル部材１２の開口部には、カバー１６が設けられており、カバー１６は、上下方向を板厚方向とした略円板状に形成されている。カバー１６には、パネル部材１２のパネル側固定ボス１２Ｄに対応する位置において、３箇所のカバー側固定ボス１６Ａが形成されている。カバー側固定ボス１６Ａは、上下方向を軸方向とした円筒状に形成されて、カバー１６から上側へ延出されており、カバー側固定ボス１６Ａの内部が、上下に貫通している。そして、ネジＳＣが、カバー側固定ボス１６Ａ内に下側から挿入され、パネル側固定ボス１２Ｄに螺合されることで、カバー１６がパネル部材１２の開口部を閉塞した状態でパネル部材１２に固定されている。なお、カバー１６の固定状態では、カバー１６のカバー側固定ボス１６Ａ及びパネル部材１２のパネル側固定ボス１２Ｄが、後述するケース２２及び回路基板６０を挟み込んでいる（図３参照）。
【００２１】
パネル部材１２の上面には、外周部において、上側へ突出されたインジケータ収容部１２Ｅが形成されており、インジケータ収容部１２Ｅは、比較的底の浅い、上側へ開放された略円環凹状に形成されている。このインジケータ収容部１２Ｅの内部には、インジケータ部材１８が配置されている。インジケータ部材１８は、無色透明のガラス材によって構成されると共に、上下方向を板厚方向とする円環板状に形成されている。そして、インジケータ部材１８の下面がインジケータ収容部１２Ｅの底面に両面テープによって貼着されている。なお、インジケータ部材１８を、無色透明の樹脂材（一例としてポリカーボネート等）によって構成してもよい。
【００２２】
インジケータ部材１８は、照明部１８Ａを有しており、照明部１８Ａは、後述する第１レンズ３４及び第２レンズ３６の導光部３８により導かれた光によって照明されるようになっている。すなわち、インジケータ部材１８の表面には、照明部１８Ａを構成する部位以外の部分に、印刷が施されており、照明部１８Ａが形成されている。この照明部１８Ａは、平面視で、パネル部材１２の周方向に沿った曲線状に形成されると共に、円弧状に湾曲している。また、照明部１８Ａが、上下方向においてパネル部材１２の照明用孔部１２Ｃと対向配置されている。
【００２３】
（ケースユニット２０について）
図２〜図４に示されるように、ケースユニット２０は、ケース２２と、ロータ３０と、プッシュサポート３２と、第１レンズ３４と、第２レンズ３６と、を含んで構成されている。
【００２４】
＜ケース２２について＞
図５にも示されるように、ケース２２は、全体として上側へ開放された有底円筒状に形成されて、パネル部材１２の内部に配置されている。ケース２２の底壁の外周側の部分には、パネル部材１２のパネル側固定ボス１２Ｄに対応する位置において、３箇所のケース側固定ボス２２Ａが形成されている。ケース側固定ボス２２Ａは、上下方向を軸方向とする円筒状に形成されて、ケース２２の底壁から上側へ突出しており、ケース側固定ボス２２Ａの内部が、上下方向に貫通している。そして、前述したネジＳＣが、ケース側固定ボス２２Ａ内に挿入されて、ケース２２が、後述する回路基板６０及びパネル部材１２によって上下方向に挟み込まれている（図３参照）。
【００２５】
ケース２２の外周側壁は、２重壁構造を成している。すなわち、ケース２２の外周側壁は、第１外周壁２２Ｂと、第１外周壁２２Ｂの径方向内側に配置された第２外周壁２２Ｃと、によって構成されている。そして、第１外周壁２２Ｂの下端部と第２外周壁２２Ｃの下端部とが、複数の支持壁２２Ｄ（図５参照）によって連結されている。この支持壁２２Ｄは、平面視で、ケース２２の中心から放射状に延在されると共に、ケース２２の周方向に等間隔毎に配置されている。なお、複数の支持壁２２Ｄは、ケース２２の周方向全体に形成されておらず、前述したインジケータ部材１８の照明部１８Ａに対応する位置に形成されている。
【００２６】
そして、ケース２２における、第１外周壁２２Ｂと第２外周壁２２Ｃとの間の空間が、後述する第１レンズ３４及び第２レンズ３６の導光部３８を収容するためのレンズ収容部２２Ｅとして構成されており、レンズ収容部２２Ｅは、平面視で、インジケータ部材１８の照明部１８Ａと重なる位置に配置されている。また、第１外周壁２２Ｂ、第２外周壁２２Ｃ、周方向に隣り合う支持壁２２Ｄによって囲まれた空間が、レンズ挿入孔２２Ｆ（図５参照）として構成されている。
【００２７】
また、ケース２２の底壁には、中央部において、支持筒部２２Ｇが形成されている。支持筒部２２Ｇは、上下方向を軸方向とした略円筒状に形成されて、ケース２２の底壁から上側へ突出している。また、支持筒部２２Ｇの内径が下側へ向かうにつれて小さくなるように設定されており、支持筒部２２Ｇの内部は上下に貫通している。
【００２８】
支持筒部２２Ｇの上端部には、支持筒部２２Ｇの径方向内側へ張り出された一対の張出部２２Ｈが形成されており、一対の張出部２２Ｈは、支持筒部２２Ｇの周方向に１８０度離間して配置されている。一方の張出部２２Ｈには、上側へ開放された凹状の第１軸受部２２Ｊ１が形成されており、他方の張出部２２Ｈには、上側へ開放された凹状の第２軸受部２２Ｊ２が形成されている。第１軸受部２２Ｊ１及び第２軸受部２２Ｊ２は、平面視で円形状に形成されており、第１軸受部２２Ｊ１の内径が、第２軸受部２２Ｊ２の内径よりも小さく設定されている。
【００２９】
ケース２２の底壁には、支持筒部２２Ｇの径方向外側において、一対の配置孔２２Ｋが貫通形成されており、配置孔２２Ｋは、平面視で略矩形状に形成されて、ケース２２の周方向に１８０度離間して配置されている。さらに、ケース２２の底壁には、複数（本実施の形態では、３箇所）の支持ボス２２Ｌが形成されている。支持ボス２２Ｌは、上下方向を軸方向とした略円柱状に形成されて、ケース２２の底壁から上側へ突出されると共に、ケース２２の周方向に等間隔毎に配置されている。
【００３０】
支持ボス２２Ｌには、圧縮コイルスプリングとして構成されたリターンスプリング２４（図３参照）が装着されており、リターンスプリング２４の下端部が、ケース２２の底壁に係止され、リターンスプリング２４の上端部が、後述するプッシュサポート３２に係止されている。
【００３１】
ケース２２の底壁には、上側へ開放され且つ下側へ突出された収容凹部２２Ｍが形成されている。収容凹部２２Ｍには、圧縮コイルスプリングとして構成された節度スプリング２６（図３参照）が収容されている。また、収容凹部２２Ｍには、球状のボール２８（図３参照）が収容されており、ボール２８は、節度スプリング２６の上側に配置されている。
【００３２】
また、ケース２２の底壁には、複数（本実施の形態では、３箇所）の係合爪２２Ｐが形成されており、係合爪２２Ｐは、ケース２２の底壁から上側へ突出されると共に、ケース２２の周方向に等間隔毎に配置されている。
【００３３】
＜ロータ３０について＞
図２及び図３に示されるように、ロータ３０は、下側へ開放された比較的底の浅い有底円筒状に形成されている。ロータ３０の上壁には、ロータ側挿通孔３０Ａが貫通形成されている。そして、ケース２２における支持筒部２２Ｇの下端部がロータ側挿通孔３０Ａ内を挿通した状態で、ロータ３０がケース２２の内部に回転可能に収容されている。また、ロータ３０の下端側の外周部には、径方向外側へ張出されたフランジ３０Ｂが形成されている。そして、ロータ３０のケース２２への収容状態では、フランジ３０Ｂが、ケース２２の係合爪２２Ｐ（図３では、不図示）と係合して、ロータ３０の上側への移動が制限されている。また、フランジ３０Ｂの下面には、前述したボール２８に対応する位置において、複数の節度山３０Ｃが形成されており、この節度山３０Ｃはロータ３０の周方向に沿って配置されている。そして、前述したボール２８が、隣り合う節度山３０Ｃの間に配置されている。
【００３４】
＜プッシュサポート３２について＞
プッシュサポート３２は、上下方向を板厚方向とした円環板状に形成されて、ロータ３０の内部に配置されている。このプッシュサポート３２には、ケース２２の支持ボス２２Ｌに対応する位置において、孔部３２Ａが貫通形成されている。そして、支持ボス２２Ｌが孔部３２Ａ内に相対移動可能に挿入されており、前述したリターンスプリング２４の上端部がプッシュサポート３２の下面に係止されている。これにより、リターンスプリング２４の付勢力によって、プッシュサポート３２が上側へ付勢されて、ロータ３０の上壁に当接している。
【００３５】
＜第１レンズ３４及び第２レンズ３６について＞
図２〜図４、図６、及び図７に示されるように、第１レンズ３４は、複数（本実施の形態では、１３個）の導光部３８と、複数の導光部３８を連結する「連結部」としての第１連結部３４Ａと、を含んで構成されている。また、第１レンズ３４は、無色透明の透光性を有する樹脂材（本実施の形態では、一例としてポリカーボネート）によって構成されている。
【００３６】
導光部３８は、上下方向に延在された略矩形柱状に形成されており、複数の導光部３８が、導光部３８の幅方向に所定の間隔を空けて配置されている。具体的には、隣り合う導光部３８の間隔が、ケース２２におけるレンズ挿入孔２２Ｆの一つ置きの間隔と一致している。また、導光部３８の下端部は、挿入部３８Ａとして構成されており、挿入部３８Ａの幅寸法が、導光部３８の上端側の幅寸法と比べて小さく設定されている。詳しくは、平面視で、挿入部３８Ａの外形が、ケース２２のレンズ挿入孔２２Ｆの形状と一致するように形成されている。また、導光部３８の上端側部分には、厚み方向一方側へ突出された突起３８Ｂが形成されている。なお、第１レンズ３４と、後述する第２レンズ３６と、を区別するために、第１レンズ３４では、第１レンズ３４の長手方向両端部、及び長手方向中央部に配置された、導光部３８において、突起３８Ｂが省略されている。また、第１レンズ３４の長手方向両端部及び長手方向中央部に配置された導光部３８において、突起３８Ｂを省略することで、パネル部材１２のパネル側固定ボス１２Ｄと導光部３８との干渉を抑制するようになっている。
【００３７】
第１連結部３４Ａは、導光部３８の幅方向に延在された略矩形棒状に形成されている。そして、第１連結部３４Ａが、導光部３８の上端側部分の厚み方向他方側部分に一体に形成されている。これにより、導光部３８の幅方向の側面３８Ｃが、下端から上端まで形成された状態で、複数の導光部３８が一体に形成されている。また、第１レンズ３４のケース２２への組付前の状態では、第１レンズ３４は、導光部３８の幅方向に直線状に延在されている（図６（Ａ）参照）。
【００３８】
そして、第１レンズ３４が、ケース２２に組付けられて、ケース２２のレンズ収容部２２Ｅ内に収容されている。具体的には、第１連結部３４Ａが、平面視で円弧状に屈曲され（図７（Ａ）参照）、導光部３８の挿入部３８Ａが、ケース２２のレンズ挿入孔２２Ｆ内に挿入されている。これにより、導光部３８の下端部が、ケース２２の支持壁２２Ｄによって支持されている。また、このときには、第１レンズ３４の導光部３８が、ケース２２の周方向に並ぶ一つ置きのレンズ挿入孔２２Ｆに対応して配置されている。また、第１レンズ３４のケース２２への組付状態では、導光部３８の突起３８Ｂの下面が、ケース２２の第２外周壁２２Ｃの上面に当接しており、導光部３８の第１連結部３４Ａの下面が、ケース２２の第１外周壁２２Ｂの上面に当接している。さらに、第１レンズ３４における導光部３８の上端部が、パネル部材１２の照明用孔部１２Ｃ内に挿入されて、導光部３８が、インジケータ部材１８の照明部１８Ａの下側に近接して配置されている。
【００３９】
第２レンズ３６は、以下に示す点を除いて、第１レンズ３４と同様に形成されている。すなわち、第２レンズ３６では、第１レンズ３４で用いた複数（本実施の形態では、１２個）の導光部３８を有しており、これら導光部３８が、「連結部」としての第２連結部３６Ａによって連結されている。
【００４０】
第２連結部３６Ａは、導光部３８の幅方向に延在された略矩形棒状に形成されて、第２連結部３６Ａが、導光部３８の上端側部分の厚み方向他方側部分に一体に形成されている。また、第２レンズ３６では、第２連結部３６Ａが第１レンズ３４の第１連結部３４Ａよりも上側に配置されている。さらに、第２レンズ３６においても、第２レンズ３６のケース２２への組付前の状態では、第２レンズ３６が、導光部３８の幅方向に直線状に延在されている（図６（Ｂ）参照）。また、第１レンズ３４の長手方向の長さが、第２レンズ３６の長手方向の長さよりも長くなっている。
【００４１】
そして、第２レンズ３６が、ケース２２に組付けられて、ケース２２のレンズ収容部２２Ｅ内に収容されている。具体的には、第２連結部３６Ａが、平面視で円弧状に屈曲され（図７（Ｂ）参照）、第２レンズ３６の導光部３８が、第１レンズ３４の隣り合う導光部３８の間に挿入されている。また、第２レンズ３６のケース２２への組付状態では、導光部３８の挿入部３８Ａが、ケース２２のレンズ挿入孔２２Ｆ内に挿入され、導光部３８の突起３８Ｂの下面が、ケース２２の第２外周壁２２Ｃの上面に当接し、導光部３８の第２連結部３６Ａの下面が、第１レンズ３４の第１連結部３４Ａの上面に当接している。さらに、第２レンズ３６における導光部３８の上端部が、パネル部材１２の照明用孔部１２Ｃ内に挿入されて、導光部３８が、インジケータ部材１８の照明部１８Ａの下側に近接して配置されている。
【００４２】
以上説明したように、第１レンズ３４及び第２レンズ３６のケース２２への組付状態では、第１レンズ３４の導光部３８と第２レンズ３６の導光部３８が、ケース２２の周方向に交互に配置されると共に、ケース２２の周方向に隣接して配置されている。換言すると、レンズ収容部２２Ｅに隣接配置された複数の導光部３８が、第１レンズ３４を構成する郡と、第２レンズ３６を構成する郡と、の２つの群に分かれている。そして、第１レンズ３４を構成する複数の導光部３８が第１連結部３４Ａによって連結されており、第２レンズ３６を構成する複数の導光部３８が第２連結部３６Ａによって連結されている。
【００４３】
また、導光部３８のケース２２への組付状態では、隣接する導光部３８の幅方向の側面３８Ｃが、ケース２２の周方向において、互いに対向して配置されるように、導光部３８の形状が設定されている。すなわち、隣接する導光部３８の幅方向の側面３８Ｃ同士が、略平行に配置されて、互いに密着するように導光部３８が配置されている。
【００４４】
（ダイヤルユニット４０について）
図１〜図４に示されるように、ダイヤルユニット４０は、操作装置１０の軸線ＡＬ回りに回転操作可能に、且つ下側へ押圧操作可能に、ケース２２の支持筒部２２Ｇに装着されている。このダイヤルユニット４０は、ダイヤル本体４２と、サポートプレート４４と、ダイヤルキャップ４８と、を含んで構成されている。
【００４５】
＜ダイヤル本体４２について＞
ダイヤル本体４２は、全体として上下方向を軸方向とする略円筒状に形成されている。ダイヤル本体４２は、内筒４２Ａと、外筒４２Ｂと、を含んで構成され、外筒４２Ｂが、内筒４２Ａの上部に対して径方向外側に配置されており、外筒４２Ｂの下端部が、径方向内側に屈曲されて、内筒４２Ａの軸方向中間部に接続されている。そして、ケース２２の支持筒部２２Ｇが内筒４２Ａの内部に挿入され、ダイヤル本体４２が、支持筒部２２Ｇに、軸線ＡＬ回りに回転可能に且つ上下方向に移動可能に支持されている。また、この状態では、内筒４２Ａが、パネル部材１２の支持孔部１２Ｂ内を挿通しており、外筒４２Ｂの下端部の一部が、パネル部材１２の支持凹部１２Ａの開口部内に配置されている。
【００４６】
内筒４２Ａの下端側の部分には、複数（本実施の形態では、４箇所）の係合爪４２Ｃが形成されており、係合爪４２Ｃが、パネル部材１２における支持孔部１２Ｂの下側の周縁部に係合している。これにより、ダイヤル本体４２の上側への移動が制限されている。内筒４２Ａの下端部には、下側へ開放された係合溝４２Ｄが形成されている。そして、ロータ３０の係合部（図示省略）が係合溝４２Ｄ内に下側から挿入されて、ロータ３０及び内筒４２Ａがダイヤル本体４２の周方向に係合している。これにより、ロータ３０及び内筒４２Ａが一体回転可能に構成されている。
【００４７】
また、ダイヤル本体４２の下端部は、ロータ３０のロータ側挿通孔３０Ａ内を挿通して、プッシュサポート３２の上側に隣接して配置されている。これにより、ダイヤル本体４２（ダイヤルユニット４０）が、プッシュサポート３２によって下側から支持されており、ダイヤル本体４２（ダイヤルユニット４０）が初期位置（図２及び図３に示される位置）に配置されている。一方、ダイヤル本体４２（ダイヤルユニット４０）が押圧操作されると、リターンスプリング２４がさらに圧縮変形して、プッシュサポート３２及びダイヤル本体４２への下側への移動が許容される構成になっている。さらに、ダイヤル本体４２に対する操作力が解除されたときには、リターンスプリング２４の付勢力によってダイヤル本体４２（ダイヤルユニット４０）が初期位置に復帰する構成になっている。
【００４８】
また、内筒４２Ａの上側開口部の内周部には、後述するサポートプレート４４を受ける受け部４２Ｅが形成されている。受け部４２Ｅは、断面視で、上側及び内筒４２Ａの径方向内側へ開放された凹状に形成されて、内筒４２Ａの周方向全周に亘って形成されている。
【００４９】
＜サポートプレート４４について＞
図２及び図３に示されるように、サポートプレート４４は、上下方向を板厚方向とし且つ円環板状に形成されたプレート本体４４Ａを有している。そして、プレート本体４４Ａがダイヤル本体４２の受け部４２Ｅの内部に収容されて、プレート本体４４Ａが受け部４２Ｅ上に載置されている。
【００５０】
また、サポートプレート４４は、一対の第１軸部４４Ｂ１及び第２軸部４４Ｂ２を有している。第１軸部４４Ｂ１及び第２軸部４４Ｂ２は、上下方向を軸方向とした円柱状に形成され、プレート本体４４Ａから下側へ延出されていると共に、プレート本体４４Ａの周方向に１８０度離間して配置されている。第１軸部４４Ｂ１は、ケース２２の第１軸受部２２Ｊ１と対を成し、第２軸部４４Ｂ２は、ケース２２の第２軸受部２２Ｊ２と対を成しており、第１軸部４４Ｂ１の直径が、第２軸部４４Ｂ２の直径よりも小さく設定されている。そして、第１軸部４４Ｂ１が、第１軸受部２２Ｊ１内に上下方向に相対移動可能に挿入されており、第２軸部４４Ｂ２が、第２軸受部２２Ｊ２内に上下方向に相対移動可能に挿入されている。このため、サポートプレート４４の回転がケース２２によって制限されている。すなわち、ダイヤルユニット４０が回転操作されたときには、ダイヤル本体４２が、サポートプレート４４に対して相対回転する構成になっている。
【００５１】
プレート本体４４Ａの上面には、外周部において、上側へ突出されたリブ４４Ｃが形成されており、リブ４４Ｃは、プレート本体４４Ａの周方向に沿って延在されると共に、プレート本体４４Ａの周方向全周に亘って形成されている。また、サポートプレート４４がダイヤル本体４２の受け部４２Ｅに収容された状態において、リブ４４Ｃが、ダイヤル本体４２の上面よりも上側に突出しないように、リブ４４Ｃの突出高さが設定されている。
【００５２】
また、プレート本体４４Ａの上面には、リブ４４Ｃの径方向内側において、ロゴフィルム４６が設けられている。このロゴフィルム４６は、上下方向を厚み方向とした円形シート状に形成されており、ロゴフィルム４６の外周部の下面が、プレート本体４４Ａの上面に両面テープによって貼着されている。また、ロゴフィルム４６の中央部は、ロゴエリア４６Ａ（図１のハッチングが施された部分を参照）として構成されており、ロゴエリア４６Ａには、図示しないロゴマークが記載されている。
【００５３】
＜ダイヤルキャップ４８＞
ダイヤルキャップ４８は、無色透明の樹脂材によって構成されると共に、上下方向を板厚方向とした円板状に形成されている。そして、ダイヤルキャップ４８の外周部の下面が、ダイヤル本体４２の内筒４２Ａ及び外筒４２Ｂの上面に両面テープによって貼着されている。これにより、ダイヤル本体４２の受け部４２Ｅがダイヤルキャップ４８によって閉塞されて、サポートプレート４４の上側への移動がダイヤルキャップ４８によって制限されている。つまり、上下方向においてサポートプレート４４がダイヤル本体４２と一体移動可能に構成されており、ダイヤル本体４２が押圧操作されるときには、サポートプレート４４が、ダイヤル本体４２と一体に上下方向に移動する構成になっている。
【００５４】
ダイヤルキャップ４８の中央部（詳しくは、ロゴフィルム４６のロゴエリア４６Ａと上下方向に対向配置される部分）は、レンズ部４８Ａとして構成されており、ロゴフィルム４６のロゴマークがレンズ部４８Ａを介して視認可能に構成されている。
【００５５】
なお、ダイヤルユニット４０は、ダイヤル本体４２の上部を覆うダイヤルカバー５０（図１〜図３参照）を有しており、ダイヤルカバー５０は、下側へ開放された略有底円筒状に形成されている。ダイヤルカバー５０の上壁には、円形の露出孔５０Ａが貫通形成されている。そして、ダイヤルカバー５０が、ダイヤル本体４２の外筒４２Ｂに組付けられて、ダイヤル本体４２に固定されている。
【００５６】
（回路基板６０について）
図２〜図４に示されるように、回路基板６０は、上下方向を板厚方向とした略円板状に形成されている。回路基板６０は、ケース２２の底壁とカバー１６との間に配置されて、ケース２２の底壁及びカバー１６のカバー側固定ボス１６Ａによって上下挟み込まれた状態に固定されている。すなわち、回路基板６０が、ケース２２の下面に密着した状態で、ケース２２の下側に隣接配置されている。なお、回路基板６０には、ネジＳＣが挿通される挿通孔６０Ａが貫通形成されている。
【００５７】
回路基板６０の上面の外周部には、複数（本実施の形態、２７個）の「光源」としてのインジケータ用光源６２が実装されている。すなわち、インジケータ用光源６２が、インジケータ部材１８に対してインジケータ部材１８の裏面側（仮面側）に離間して配置されている。インジケータ用光源６２は、ＬＥＤ（light emitting diode）によって構成されて、発光した光を上側へ照射するように構成されている。複数のインジケータ用光源６２は、ケース２２のレンズ挿入孔２２Ｆ内にそれぞれ配置されている。すなわち、複数のインジケータ用光源６２は、第１レンズ３４及び第２レンズ３６の導光部３８に対応した位置に配置されて、対応する導光部３８の真下にそれぞれ配置されている。よって、複数のインジケータ用光源６２が、平面視で、インジケータ部材１８の照明部１８Ａの長手方向に沿って並んでいる。これにより、インジケータ用光源６２が発光することにより、発光した光が、導光部３８を透過して、インジケータ部材１８の照明部１８Ａを照射する構成になっている。
【００５８】
また、回路基板６０には、制御部７０が電気的に接続されており、制御部７０は、後述するダイヤルユニット４０の回転操作を検知して、各々のインジケータ用光源６２の点灯又は消灯を制御するようになっている。これにより、制御部７０の制御によって、各々のインジケータ用光源６２が点灯又は消灯することで、インジケータ部材１８の照明部１８Ａが、所定の範囲（長さ）で照明されるようになっている。
【００５９】
また、回路基板６０の上面における中央部には、ロゴ用光源６４が実装されている。ロゴ用光源６４は、ＬＥＤ（light emitting diode）によって構成されて、発光した光を上側へ照射するように構成されている。さらに、ロゴ用光源６４は、ケース２２の支持筒部２２Ｇの下端部内に配置されて、ロゴフィルム４６のロゴエリア４６Ａを照射するようになっている。これにより、ロゴエリア４６Ａ内のロゴマークが照明される構成になっている。
【００６０】
また、回路基板６０の上面には、一対のタクトスイッチ６６が実装されている。タクトスイッチ６６は、ケース２２の配置孔２２Ｋ内に配置されると共に、プッシュサポート３２の下側に隣接して配置されている。そして、ダイヤルユニット４０の押圧操作には、プッシュサポート３２がタクトスイッチ６６を押圧して、タクトスイッチ６６が操作装置１０の押圧操作を検出するようになっている。
【００６１】
（作用及び効果）
次に、本実施の形態の作用及び効果について説明する。
【００６２】
上記のように構成された操作装置１０では、インジケータ部材１８がパネル部材１２に設けられており、インジケータ部材１８には、平面視で、パネル部材１２の周方向に延在された曲線状の照明部１８Ａが形成されている。照明部１８Ａの下側（インジケータ部材１８の裏面側）には、照明部１８Ａの長手方向に沿って配置された複数のインジケータ用光源６２が設けられている。また、インジケータ部材１８の照明部１８Ａとインジケータ用光源６２と間には、複数の導光部３８が設けられている。このため、インジケータ用光源６２によって発光された光が、導光部３８によってインジケータ部材１８側へ導かれて、インジケータ部材１８の照明部１８Ａを照射する。これにより、導光部３８によって導かれた光によってインジケータ部材１８の照明部１８Ａが照明される。
【００６３】
また、ダイヤルユニット４０に対する回転操作に応じて、各々のインジケータ用光源６２が、制御部７０によって点灯または消灯する。これにより、ダイヤルユニット４０に対する回転操作に応じて、照明部１８Ａにおける照明部位が可変する。具体的には、ダイヤルユニット４０に対する回転操作量が増加するに従い、照明部１８Ａにおける照明部位の長さが長くなる。
【００６４】
ここで、複数の導光部３８は、各インジケータ用光源６２と対を成して配置されると共に、照明部１８Ａの長手方向（すなわち、ケース２２の周方向）に沿って互いに隣接して配置されている。これにより、照明部１８Ａを良好に照明させることができる。以下、この点について、図８を用いて、比較例の照明構造と比較しつつ説明する。
【００６５】
図８（Ａ）は、本実施の形態の導光部３８をケース２２の径方向外側から見た模式図であり、図８（Ｂ）は、比較例の照明構造を示す図８（Ａ）に対応する模式図である。
以下、初めに比較例の照明構造について説明する。なお、図８（Ｂ）では、本実施の形態の操作装置１０と同様に構成された部材には、同一の符号を付している。すなわち、比較例の照明構造では、本実施の形態の複数の導光部３８を一体にした、導光部材１００を有している。この導光部材１００には、ケース２２の支持壁２２Ｄが挿入されるスリット１００Ａが形成されている。これにより、導光部材１００には、複数のインジケータ用光源６２に対応する複数の導光部１００Ｂが形成されている。つまり、導光部材１００の上端部には、導光部１００Ｂの側面１００Ｃが形成されていない。なお、比較例では、インジケータ用光源６２の他のインジケータ用光源６２側への光漏れを抑制するため、ケース２２の支持壁２２Ｄが本実施の形態と比べて上側まで延びている。
【００６６】
そして、比較例の照明構造では、インジケータ用光源６２によって発光された光（図８（Ｂ）の細線を参照）が、導光部１００Ｂ内を上側へ透過する。このとき、インジケータ用光源６２によって発光された光の一部は、導光部１００Ｂの側面１００Ｃを反射しながら、導光部１００Ｂ内を上側へ透過していく。そして、導光部材１００の上端部では、導光部１００Ｂの側面１００Ｃが形成されていない。このため、導光部材１００の上端部では、導光部１００Ｂによって反射された光の一部が導光部１００Ｂの幅方向外側へ拡散する。すなわち、導光部材１００を透過した光が、インジケータ部材１８の照明部１８Ａの長手方向に拡散しながら、照明部１８Ａを照射する。このため、照明部１８Ａの長手方向において、導光部材１００を透過した光の光漏れが発生し、照明部１８Ａに対する照明性能が低下する可能性がある。具体的には、照明部１８Ａにおける照明部位の輪郭がぼけて視認されるようになる。
【００６７】
これに対して本実施の形態では、上述のように、インジケータ部材１８の照明部１８Ａとインジケータ用光源６２との間には、複数の導光部３８が設けられている。そして、複数の導光部３８は、各インジケータ用光源６２と対を成して配置されると共に、照明部１８Ａの長手方向（すなわち、ケース２２の周方向）に沿って互いに隣接して配置されている。そして、図８（Ａ）に示されるように、上記比較例と同様に、インジケータ用光源６２によって発光された光（図８（Ａ）の細線を参照）が、導光部３８内を上側へ透過する。このとき、インジケータ用光源６２によって発光された光の一部は、導光部３８の側面３８Ｃを反射しながら、導光部３８内を上側へ透過していく。ここで、本実施の形態では、導光部３８の側面３８Ｃが、導光部３８の上端部にも形成されている。このため、導光部３８の上端部においても、インジケータ用光源６２によって発光された光の一部が、導光部３８の側面３８Ｃによって反射する。これにより、導光部３８を透過した光の照射範囲が、導光部３８の幅方向において、上記比較例と比べて狭くなる。その結果、導光部３８を透過した光の、隣接する導光部３８側への光漏れを、上記比較例と比べて抑制することができる。したがって、インジケータ部材１８の照明部１８Ａを良好に照射することができる。具体的には、上記比較例と比べて、照明部１８Ａにおける照明部位の輪郭を明瞭に視認することができる。以上により、照明部１８Ａに対する照明性を向上することができる。
【００６８】
また、ケース２２に組付けられた複数の導光部３８は、第１レンズ３４を構成する郡と、第２レンズ３６を構成する郡と、の２つの群に分けられている。そして、第１レンズ３４を構成する複数の導光部３８が第１連結部３４Ａによって連結されており、第２レンズ３６を構成する複数の導光部３８が第２連結部３６Ａによって連結されている。このため、第１レンズ３４（第２レンズ３６）を構成する複数の導光部３８を一体に形成することができる。これにより、複数の導光部３８をそれぞれ別々に製作する場合と比べて、部品点数の削減に寄与することができると共に、導光部３８のケース２２への組付工数を削減することができる。
【００６９】
また、インジケータ部材１８の照明部１８Ａは、平面視で、パネル部材１２の周方向に延在された円弧状（曲線状）に形成されている。そして、第１レンズ３４（第２レンズ３６）では、第１連結部３４Ａ（第２連結部３６Ａ）を屈曲させた状態で、導光部３８が、ケース２２に組付けられている。このため、第１レンズ３４（第２レンズ３６）の第１連結部３４Ａ（第２連結部３６Ａ）を直線状に延在させた状態に、第１レンズ３４（第２レンズ３６）を成形することができる。これにより、第１連結部３４Ａ（第２連結部３６Ａ）を予め円弧状に湾曲させた形状に成形する場合と比べて、第１レンズ３４（第２レンズ３６）の寸法精度を向上することができる。また、第１連結部３４Ａ（第２連結部３６Ａ）を予め円弧状に湾曲させた形状に成形する場合と比べて、第１レンズ３４（第２レンズ３６）を成形するための金型構造の簡易化に寄与することができると共に、当該金型の低コスト化を図ることができる。
【００７０】
また、導光部３８のケース２２への組付状態では、互いに隣接する導光部３８の側面３８Ｃが、平面視で、ケース２２の周方向（インジケータ部材１８の照明部１８Ａの長手方向）において対向して配置されている。このため、互いに隣接する導光部３８の側面３８Ｃが、互いに密着するように、導光部３８がケース２２に組付けられている。これにより、第１レンズ３４及び第２レンズ３６のケース２２への組付状態において、導光部３８をケース２２の周方向に連続的に配置することができる。
また、第１レンズ３４のケース２２への組付後において、第２レンズ３６の導光部３８を第１レンズ３４の導光部３８の間に挿入するときに、第１レンズ３４の導光部３８が、第２レンズ３６の導光部３８に対してガイド部材と機能する。これにより、第２レンズ３６の組付性を向上することができる。
【００７１】
また、回路基板６０に実装されたインジケータ用光源６２がケース２２のレンズ挿入孔２２Ｆ内に配置されている。このため、ケース２２の支持壁２２Ｄによって、導光部３８の下端部を支持しつつ、インジケータ用光源６２の光の光漏れを抑制することができる。
【００７２】
また、ケース２２は、パネル部材１２の内部に収容され、インジケータ部材１８がパネル部材１２に固定されている。このため、複数の導光部３８をケース２２に組付けたユニット状態にし、インジケータ部材１８をパネル部材１２に固定したユニット状態にした後に、両者を組付けることで、インジケータ部材１８の裏面側に導光部３８を配置することができる。したがって、操作装置１０の組付性を向上することができる。
【００７３】
なお、本実施の形態では、複数の導光部３８が、第１レンズ３４を構成する複数の導光部３８と、第２レンズ３６を構成する複数の導光部３８と、の２つの郡に分かれているが、複数の導光部３８を分割する郡の数はこれに限らない。すなわち、複数の導光部３８を３つ以上の郡に分けて、それぞれの郡の複数の導光部３８を、連結部によって連結してもよい。
【００７４】
また、本実施の形態では、照明部１８Ａが平面視で円弧状（曲線状）に形成されているが、照明部１８Ａの形状はこれに限らない。例えば、照明部１８Ａを、直線状に形成してもよい。この場合には、照明部１８Ａに対応して、複数の導光部３８及びインジケータ用光源６２を平面視で直線状に並ぶように配置する。
【００７５】
また、本実施の形態では、第１レンズ３４（第２レンズ３６）の第１連結部３４Ａ（第２連結部３６Ａ）が、直線状に形成されており、第１連結部３４Ａ（第２連結部３６Ａ）を円弧状に湾曲させて、導光部３８をケース２２に組み付けている。これに代えて、第１レンズ３４（第２レンズ３６）の第１連結部３４Ａ（第２連結部３６Ａ）を予め円弧状に湾曲させた状態に成形して、導光部３８をケース２２に組み付けてもよい。
【符号の説明】
【００７６】
１２          パネル部材
１８          インジケータ部材
１８Ａ        照明部
２２          ケース
２２Ｄ        支持壁
３４Ａ        第１連結部（連結部）
３６Ａ        第２連結部（連結部）
３８          導光部
３８Ｃ        導光部の側面
６２          インジケータ用光源（光源）
Ｓ            照明構造
【図１】
2020095843.tif 000003
【図２】
2020095843.tif 000004
【図３】
2020095843.tif 000005
【図４】
2020095843.tif 000006
【図５】
2020095843.tif 000007
【図６】
2020095843.tif 000008
【図７】
2020095843.tif 000009
【図８】
2020095843.tif 000010